【手続補正書】
【提出日】平成21年10月7日(2009.10.7)
【手続補正１】
【補正対象書類名】特許請求の範囲
【補正対象項目名】請求項２
【補正方法】変更
【補正の内容】
【請求項２】
コイル（Ｌ３）と、
第１乃至第３の入力端子（２２１〜２２３）と、
第１の出力端子の一対（２３１，２３２）と、
第２の出力端子の一対（２４１，２４２）と
を備え、
前記第１の出力端子の一方（２３１）は、前記第１の入力端子（２２１）及び前記コイルの一端（２１１）に接続され、
前記第１の出力端子の他方（２３２）は、前記第２の入力端子（２２２）及び前記コイルの他端（２１２）に接続され、
前記第２の出力端子の一方（２４１）は、前記コイルの前記一端と前記他端との間の位置（２１３）で前記コイルに接続され、
前記第２の出力端子の他方（２４２）は、前記第３の入力端子（２２３）に接続され、
前記コイルの前記一端と前記位置との間のインダクタンスと、前記コイルの前記他端と前記位置との間のインダクタンスとが等しい、電力変換装置。
【手続補正２】
【補正対象書類名】特許請求の範囲
【補正対象項目名】請求項３
【補正方法】変更
【補正の内容】
【請求項３】
前記第１の出力端子の前記一対（２３１，２３２）と、前記第１及び前記第２の入力端子（２２１，２２２）との間に接続される第１の絶縁変圧器（２２）
を更に備え、
前記第１の出力端子の前記一対は、前記第１の絶縁変圧器の２次コイル（Ｌ４）の両端（２１４，２１５）に接続され、
前記第１の絶縁変圧器は、前記コイル（Ｌ３）を１次コイルとする、請求項２記載の電力変換装置。
【手続補正３】
【補正対象書類名】明細書
【補正対象項目名】０００８
【補正方法】変更
【補正の内容】
【０００８】
この発明の請求項２にかかる電力変換装置は、コイル（Ｌ３）と、第１乃至第３の入力端子（２２１〜２２３）と、第１の出力端子の一対（２３１，２３２）と、第２の出力端子の一対（２４１，２４２）とを備え、前記第１の出力端子の一方（２３１）は、前記第１の入力端子（２２１）及び前記コイルの一端（２１１）に接続され、前記第１の出力端子の他方（２３２）は、前記第２の入力端子（２２２）及び前記コイルの他端（２１２）に接続され、前記第２の出力端子の一方（２４１）は、前記コイルの前記一端と前記他端との間の位置（２１３）で前記コイルに接続され、前記第２の出力端子の他方（２４２）は、前記第３の入力端子（２２３）に接続され、前記コイルの前記一端と前記位置との間のインダクタンスと、前記コイルの前記他端と前記位置との間のインダクタンスとが等しい。
【手続補正４】
【補正対象書類名】明細書
【補正対象項目名】０００９
【補正方法】変更
【補正の内容】
【０００９】
この発明の請求項３にかかる電力変換装置は、請求項２記載の電力変換装置であって、前記第１の出力端子の前記一対（２３１，２３２）と、前記第１及び前記第２の入力端子（２２１，２２２）との間に接続される第１の絶縁変圧器（２２）を更に備え、前記第１の出力端子の前記一対は、前記第１の絶縁変圧器の２次コイル（Ｌ４）の両端（２１４，２１５）に接続され、前記第１の絶縁変圧器は、前記コイル（Ｌ３）を１次コイルとする。
【手続補正５】
【補正対象書類名】明細書
【補正対象項目名】００１８
【補正方法】変更
【補正の内容】
【００１８】
この発明の請求項４にかかる電力変換装置によれば、第１のコンデンサと２次コイルとでフィルタが構成される。よって、当該フィルタでノイズが除去される。
【手続補正６】
【補正対象書類名】明細書
【補正対象項目名】００２０
【補正方法】変更
【補正の内容】
【００２０】
この発明の請求項６にかかる電力変換装置によれば、第１のコンデンサと２次コイルとでフィルタが構成される。よって、当該フィルタでノイズが除去される。
【手続補正７】
【補正対象書類名】明細書
【補正対象項目名】００４８
【補正方法】変更
【補正の内容】
【００４８】
図４及び図５はそれぞれ、図１及び図２で示される電力変換システムのコンバータ３１，３２にＰＦＣ回路５０１を採用した場合の、（ｂ）３相交流Ｉａ，Ｉｂ，Ｉｃ（図１及び図２）の波形、（ｃ）交流電圧Ｖ１，Ｖ２の波形、及び（ｄ）交流Ｉ１，Ｉ２の波形をそれぞれ示す。ここで、入力端子１２１〜１２３には、（ａ）で示される３相交流電圧Ｖａ，Ｖｂ，Ｖｃ（図１及び図２）がそれぞれ入力される。また交流Ｉ１（図１及び図２）は第１の出力端子１３１，１３２を流れ、交流Ｉ２（図１及び図２）は第２の出力端子１４１，１４２を流れる。
【手続補正８】
【補正対象書類名】明細書
【補正対象項目名】００５０
【補正方法】変更
【補正の内容】
【００５０】
本実施の形態にかかる電力変換システムでは、１次コイルＬ１及び２次コイルＬ２にはそれぞれ、線間電圧Ｖ０の１／２倍の電圧がかかり、入力端子１２１〜１２２に流れる電流Ｉａ（＝Ｉｂ＝Ｉｃ）の１／２倍の電流が流れる。このとき、電力変換装置１の電力容量Ｐｒ１は、式（１）で表される。ここで、符号Ｖｒ１，Ｉｒ１は、それぞれ１次コイルの電圧及び電流の実効値、符号Ｖｒ２，Ｉｒ２は、それぞれ２次コイルの電圧及び電流の実効値を、符号Ｖｒ，Ｉｒは、それぞれ線間電圧Ｖ０及び電流Ｉａ（＝Ｉｂ＝Ｉｃ）の実効値を表す。
【手続補正９】
【補正対象書類名】明細書
【補正対象項目名】００５６
【補正方法】変更
【補正の内容】
【００５６】
入力端子２２１〜２２３は、３相電源２０１に接続され、３相電源２０１から電力が供給される。
【手続補正１０】
【補正対象書類名】明細書
【補正対象項目名】００６５
【補正方法】変更
【補正の内容】
【００６５】
図６では、負荷２１１がコンバータ３１の出力端３１３，３１４に接続され、かつ出力端３１３，３１４のそれぞれにコンバータ３２の出力端３２３，３２４が接続された場合が示されている。この場合、第１の実施の形態で説明したように、電力Ｐ１と電力Ｐ２とはほぼ等しい。なお、第１の実施の形態で説明したのと同様の観点から、出力端３１３，３１４の間にコンデンサＣｄを接続することが望ましい。
【手続補正１１】
【補正対象書類名】明細書
【補正対象項目名】００８４
【補正方法】変更
【補正の内容】
【００８４】
第４の実施の形態．
図１２及び図１３は、本実施の形態にかかる電力変換システムを概念的に示す回路図である。当該電力変換システムはそれぞれ、図８及び図９で示される電力変換システムであって、電力変換装置２ｂが更に絶縁変圧器２３を備える。なお、図１２及び図１３では、当該電力変換装置に符号２ｃを付している。
【手続補正１２】
【補正対象書類名】明細書
【補正対象項目名】０１０７
【補正方法】変更
【補正の内容】
【０１０７】
ダイオードＤ７は、アノードが出力端１０４に接続され、カソードがコイルＬ１１を介して出力端１０３に接続される。ダイオードＤ８は、アノードが入力端１０１に接続され、カソードがダイオードＤ７のカソードに接続される。ダイオードＤ９は、アノードが入力端１０２に接続され、カソードがダイオードＤ７のカソードに接続される。スイッチＳＷ８は、ダイオードＤ８のアノードと、出力端１０４との間に接続される。スイッチＳＷ９は、ダイオードＤ９のアノードと、出力端１０４との間に接続される。コンデンサＣｆは入力端１０１，１０２の間に接続される。かかるＰＦＣ回路は、降圧チョッパとして機能し、しかもＰＷＭ制御を行うことができる。
【手続補正１３】
【補正対象書類名】明細書
【補正対象項目名】０１０９
【補正方法】変更
【補正の内容】
【０１０９】
ダイオードＤ７は、アノードが出力端１０４に接続され、カソードがコイルＬ１１を介して出力端１０３に接続される。ダイオードＤ１０は、アノードがＩＧＢＴ７１のエミッタに接続され、カソードがダイオードＤ７のカソードに接続される。ダイオードＤ１１は、アノードがＩＧＢＴ７２のエミッタに接続され、カソードがダイオードＤ７のカソードに接続される。ダイオードＤ１２は、アノードが出力端１０４に接続され、カソードがＩＧＢＴ７１のコレクタに接続される。ダイオードＤ１３は、アノードが出力端１０４に接続され、カソードがＩＧＢＴ７２のコレクタに接続される。